(57)【要約】【課題】水切り後に、別途、サラダボール等を用意する必要がない、回転水切器を提供する。【解決手段】  内部で回転可能な水切カゴ（１）と、該水切カゴ（１）を回転可能に保持する回転スピナー（２）と、回転スピナー（２）を保持する外側容器（３）と、回転機構を有する回転蓋（４）とを有している。回転蓋（４）が、上面回転板（４１）と、上面回転板（４１）に組み込んだ偏心回転板（４２）と、偏心回転板（４２）に設けた取手（４３）とを有し、水切カゴ（１）と回転スピナー（２）と外側容器（３）とを組み合わせた状態で、取手（４３）を回すことで、回転スピナー（２）によって保持した水切カゴ（１）を回転させる機構を有する。【選択図】図１
0003109994.tif 000002
【実用新案登録請求の範囲】
【請求項１】
内部で回転可能な水切カゴと、該水切カゴを回転可能に保持する回転スピナーと、回転スピナーを保持する外側容器と、回転機構を有する回転蓋とを有し、回転蓋が、水切カゴと回転スピナーと外側容器とを組み合わせた状態で回すことで、回転スピナーによって保持した水切カゴを回転させる機構を有するものであることを特徴とする、回転水切器。
【考案の詳細な説明】
【技術分野】
【０００１】
本考案は回転水切器に関し、詳細には、一般家庭で洗った野菜等の水切りを行うために用いる回転水切器に関する。
【背景技術】
【０００２】
従来、一般家庭用の回転水切器であるサラダスピナーとして、内部で回転可能な水切カゴであるバスケットと、該バスケットを回転可能に保持する外側容器であるベースと、回転機構を有する回転蓋であるカバーとを有するものが知られている。
ここで、回転蓋は、外側容器を組み合わせた状態で、上面に設けたハンドル等を回すことで、内部に保持した水切カゴを、回転させる機構を有するものである。
【０００３】
例えば、特許文献１（特開２０００−１０７０４７号公報）には、相対回転可能にバスケットを受け入れるベースと、該ベースに取り付けられ、前記相対回転を引き起こす駆動機構を備えたカバーとを有し、前記バスケットが前記ベース内で締まり嵌めを持った上方縁部を有する、サラダスピナーにおいて、前記バスケットが、前記上方縁部に通じ、前記バスケットと前記ベースとの間にアクセス空間を構成する半径方向内方凹部の形態の少なくとも１つのアクセス凹部を更に有し、前記アクセス空間が、少なくとも一つの指を受け入れるように寸法形状決めされている、サラダスピナーが記載されている。
【特許文献１】特開２０００−１０７０４７号公報
【考案の開示】
【考案が解決しようとする課題】
【０００４】
しかしながら、従来の回転水切器は、水切カゴを外側容器と回転可能に組み合わせるために、外側容器の中央底部に突起部を形成すると共に、該突起部と組み合う受部を水切カゴの中央底部に設ける必要があった。
すなわち、外側容器は、回転可能な水切カゴの保持専用容器としてのみ用いられており、水切り後に、バスケットに入れた野菜等を移し替えるために、別途、サラダボール等を用意する必要があった。
従って、水切り後に、別途、サラダボール等を用意する必要がない、回転水切器が望まれていた。
【課題を解決するための手段】
【０００５】
本考案による課題を解決するための手段は、内部で回転可能な水切カゴと、該水切カゴを回転可能に保持する回転スピナーと、回転スピナーを保持する外側容器と、回転機構を有する回転蓋とを有し、回転蓋が、水切カゴと回転スピナーと外側容器とを組み合わせた状態で回すことで、回転スピナーによって保持した水切カゴを回転させる機構を有する回転水切器を提供する。
【考案の効果】
【０００６】
本考案の回転水切器によれば、外側容器に水切カゴを回転可能に保持するに際し、別途、回転スピナーを設けることで、外側容器自体を、水切り後にサラダボール等として利用することができるので、別途、サラダボール等を用意する必要がない。
【考案を実施するための最良の形態】
【０００７】
以下に、本考案に係る回転水切器の実施の一形態について、図面を参照しながら説明する。
【０００８】
図１は、本考案の回転水切器の分解斜視図であり、図２は、本考案の回転水切器の機構を説明するための概略平面図である。
【０００９】
本考案の回転水切器は、内部で回転可能な水切カゴ１と、該水切カゴ１を回転可能に保持する回転スピナー２と、回転スピナー２を保持する透明な外側容器３と、回転機構を有する回転蓋４とを有している。
【００１０】
水切カゴ１は、開孔平面底１１と、該開孔平面底１１の外周部に連続して形成された開孔側壁１２とからなり、開孔平面底１１の中央部には回転スピナー２と組み合うための中央係合部１３が形成されている。
該水切カゴ１は、図２中の（ｂ）に示すように（図１では省略してある）、全体に多数の開孔部を有している。
【００１１】
回転スピナー２は、水切カゴ１の開孔平面底１１と開孔側壁１２の一部を包み込むように保持するもので、外側に向けて反り上がった６枚の支持羽根２１を有している。
該回転スピナー２の中央部には、水切カゴ１の中央係合部１３と組み合う中央突起２２が形成されている。
【００１２】
外側容器３は、全体が透明なサラダボール形状をしており、回転スピナー２を保持する透明平面底３１と、該透明平面底３１の外周部に連続して形成された透明側壁３２とからなる。
【００１３】
回転蓋４は、上面回転板４１と、上面回転板４１に組み込んだ偏心回転板４２と、偏心回転板４２に設けた取手４３とを有している。
該回転蓋４は、底面側の一部が水切カゴ１の係合部（図示は省略）と係合しており、水切カゴ１と回転スピナー２と外側容器３とを組み合わせた状態で、取手４３を回すことで、回転スピナー２によって保持した水切カゴ１を回転させる機構を有している。
【００１４】
次に、上記の回転水切器の作用を説明する。
【００１５】
使用の際には、外側容器３の透明平面底３１に、回転スピナー２を置いた状態で、水切り対象の野菜等を納めた水切カゴ１を、回転スピナー２の中央突起２２に水切カゴ１の中央係合部１３が組み合うように設置する。
【００１６】
水切カゴ１の設置が完了したら、回転蓋４を、水切カゴ１の係合部（図示は省略）と係合させた状態で、外側容器３に組み合わせることで蓋をする。
【００１７】
その後、図２中の（ａ）に示すように、回転蓋４をした状態で、上面回転板４１を押さえつつ、取手４３を回すことで、偏心回転板４２が回転する。
【００１８】
すると、回転蓋４に係合した水切カゴ１が、回転スピナー２により外側容器３との接触による摩擦の発生が回避されつつ回転する。
【００１９】
その結果、遠心力により野菜等に付着していた水が、水切カゴ１の開孔部を通して、外側容器３に集められ、水切りが行われる。
【００２０】
水切完了後は、始めに、外側容器３から、回転蓋４と水切カゴ１と回転スピナー２とを取り出す。
【００２１】
そして、外側容器３に貯まった水を捨てた後に、水切カゴ１の野菜等を、外側容器３に入れることで、外側容器３自体をサラダボールとして利用する。
【図面の簡単な説明】
【００２２】
【図１】本考案の回転水切器の分解斜視図
【図２】本考案の回転水切器の機構を説明するための概略平面図
【符号の説明】
【００２３】
１  水切カゴ
１１  開孔平面底
１２  開孔側壁
１３  中央係合部
２  回転スピナー
２１  支持羽根
２２  中央突起
３  外側容器
３１  透明平面底
３２  透明側壁
４  回転蓋
４１  上面回転板
４２  偏心回転板
４３  取手
【図１】
0003109994.tif 000003
【図２】
0003109994.tif 000004